(57)【要約】【課題】コネクタが外部機器に接続されない状態において他部品と干渉するおそれのない配線モジュールを提供する。【解決手段】複数の蓄電素子８０を並べてなる蓄電素子群ＢＵに取り付けられる配線モジュール１であって、複数の蓄電素子同士を電気的に接続するバスバー４０と、バスバー４０を収容し蓄電素子群ＢＵに載置される絶縁プロテクタＰと、バスバー４０から絶縁プロテクタＰの外部に延出される電線６０と、電線６０の絶縁プロテクタＰから延出された延出端部６２に設けられたコネクタ７０と、絶縁プロテクタＰに設けられコネクタ７０を着脱可能に保持するコネクタ保持部３０と、を備える。【選択図】図１
2019036471.tif 000002
【特許請求の範囲】
【請求項１】
複数の蓄電素子を並べてなる蓄電素子群に取り付けられる配線モジュールであって、
前記複数の蓄電素子同士を電気的に接続するバスバーと、
前記バスバーを収容し前記蓄電素子群に載置される絶縁プロテクタと、
前記バスバー側から前記絶縁プロテクタの外部に延出される電線と、
前記電線の前記絶縁プロテクタから延出された延出端部に設けられたコネクタと、
前記絶縁プロテクタに設けられ前記コネクタを着脱可能に保持するコネクタ保持部と、を備える配線モジュール。
【請求項２】
前記コネクタには、前記コネクタの挿入方向に対して交差する方向に撓み可能な弾性片が設けられ、
前記コネクタ保持部には、前記コネクタが前記コネクタ保持部に保持された状態において前記弾性片が保持される保持孔と、前記コネクタを前記コネクタ保持部から離脱させるに伴って前記弾性片と摺動し前記弾性片を撓ませる内部テーパ面が連続して設けられた請求項１に記載の配線モジュール。
【請求項３】
前記コネクタ保持部は、前記コネクタの挿入方向と交差する方向に突出し、その突出端部が前記コネクタを押圧する突出壁部を備える請求項１に記載の配線モジュール。
【請求項４】
前記コネクタ保持部は、
前記コネクタ保持部に挿入された前記コネクタの後端部に後方から係止することで前記コネクタが前記コネクタ保持部から脱落することを防止する脱落防止部と、
前記脱落防止部に連なって設けられ、前記脱落防止部による係止状態を解除可能なつまみ片と、
を備える請求項１に記載の配線モジュール。
【請求項５】
前記突出壁部は、前記コネクタ保持部のうち前記コネクタの挿入方向における一部分に設けられる請求項３に記載の配線モジュール。
【請求項６】
前記コネクタ保持部は、前記コネクタを受け入れるための受入口を備え、前記突出壁部は前記受入口の近傍に配されている請求項５に記載の配線モジュール。
【請求項７】
前記絶縁プロテクタの一壁部には前記電線を外部に延出させる電線延出口が設けられ、
前記コネクタ保持部は、前記一壁部において前記電線延出口から遠い端部に設けられた請求項１から請求項６のいずれか一項に記載の配線モジュール。
【請求項８】
前記絶縁プロテクタには前記電線を外部に延出させる電線延出口が設けられ、
前記コネクタ保持部は、前記電線延出口と隣接して設けられた請求項１から請求項６のいずれか一項に記載の配線モジュール。
【請求項９】
前記コネクタは、相手方端子が挿入される挿入孔と、前記挿入孔の内部に設けられた端子と、を備え、
前記コネクタ保持部は、前記挿入孔を外方から隔離する請求項１から請求項８のいずれか一項に記載の配線モジュール。
【請求項１０】
前記コネクタ保持部へ前記コネクタを挿入する方向を挿入方向とした場合に、前記電線は、前記コネクタから前記挿入方向とは反対方向に引き出されている請求項１から請求項９のいずれか一項に記載の配線モジュール。
【請求項１１】
前記コネクタ保持部へ前記コネクタを挿入する方向を挿入方向とした場合に、前記挿入方向は、前記絶縁プロテクタを前記蓄電素子群から離間させる方向とは交差する請求項１から請求項１０のいずれか一項に記載の配線モジュール。
【発明の詳細な説明】
【技術分野】
【０００１】
本発明は、配線モジュールに関する。
【背景技術】
【０００２】
従来、複数の蓄電素子を備える蓄電ユニットに載置され各蓄電素子間を接続するための配線モジュールとして、特許文献１のものが知られている。この配線用モジュールにおいては、樹脂プロテクタ内に複数のバスバーを収容するとともに、各バスバーから延出する電線を樹脂プロテクタの一端側から一束にまとめて延出させ、その先端に外部機器と接続するためのコネクタを配している。
【先行技術文献】
【特許文献】
【０００３】
【特許文献１】特開２０１６−９６４６号公報
【発明の概要】
【発明が解決しようとする課題】
【０００４】
しかしこの構成では、コネクタを外部機器と接続しない状態においては、コネクタが樹脂プロテクタの外部において電線の先端にぶら下がり、他部品と干渉するおそれがある。これを防ぐ方法としては、例えば樹脂プロテクタにコネクタを粘着テープ等を用いて仮保持しておくことが考えられる。
【０００５】
しかしこの場合、コネクタを外部機器と接続する際に粘着テープを除去するという手間を要し、しかも除去したテープがごみとなって接続作業の妨げとなることが懸念される。
本明細書に開示された技術は上記のような事情に基づいて完成されたものであって、コネクタが外部機器に接続されない状態において他部品と干渉するおそれのない配線モジュールを提供することを目的とする。
【課題を解決するための手段】
【０００６】
本明細書に開示された技術に係る配線モジュールは、複数の蓄電素子を並べてなる蓄電素子群に取り付けられる配線モジュールであって、前記複数の蓄電素子同士を電気的に接続するバスバーと、前記バスバーを収容し前記蓄電素子群に載置される絶縁プロテクタと、前記バスバー側から前記絶縁プロテクタの外部に延出される電線と、前記電線の前記絶縁プロテクタから延出された延出端部に設けられたコネクタと、前記絶縁プロテクタに設けられ前記コネクタを着脱可能に保持するコネクタ保持部と、を備える。
【０００７】
この構成によれば、コネクタをコネクタ保持部において着脱可能に保持できるから、コネクタが検知電線の延出端部にぶら下がって他部材と干渉することを防ぐことができる。
【０００８】
本明細書に開示された技術に係る実施態様として、次の構成が好ましい。
【０００９】
（１）前記コネクタには、前記コネクタの挿入方向に対して交差する方向に撓み可能な弾性片が設けられ、前記コネクタ保持部には、前記コネクタが前記コネクタ保持部に保持された状態において前記弾性片が保持される保持孔と、前記コネクタを前記コネクタ保持部から離脱させるに伴って前記弾性片と摺動し前記弾性片を撓ませる内部テーパ面が連続して設けられている。
【００１０】
この構成によれば、コネクタの弾性片が保持孔に係止することでコネクタ保持部内に保持されるとともに、コネクタがコネクタ保持部から離脱される際には内部テーパ面に摺動しながら次第に撓む。したがって、コネクタを引くだけでコネクタをコネクタ保持部から取り外すことができ、取り外し作業が容易である。
【００１１】
（２）前記コネクタ保持部は、前記コネクタの挿入方向と交差する方向に突出し、その突出端部が前記コネクタを押圧する突出壁部を備える。
【００１２】
この構成によれば、コネクタのハウジングを突出壁部によって押圧するから、例えば突出壁部がない場合と比較して、配線モジュールを傾けるなどした場合にもコネクタ保持部からコネクタが滑落しにくい。また、コネクタ保持部に突出壁部を設けるだけでコネクタを保持できるから、コネクタ保持部の構造や抜き取り操作をシンプルにすることができる。
【００１３】
（３）前記コネクタ保持部は、前記コネクタ保持部に挿入された前記コネクタの後端部に後方から係止することで前記コネクタが前記コネクタ保持部から脱落することを防止する脱落防止部と、前記脱落防止部に連なって設けられ、前記脱落防止部による係止状態を解除可能なつまみ片と、を備える。
【００１４】
この構成によれば、コネクタの後端部には脱落防止部が後方から係止するから、コネクタがコネクタ保持部から脱落することを防ぐことができる。また、コネクタをコネクタ保持部から引き抜く際にはつまみ片を操作することで保持凹部から引き抜き可能な状態とすることができるから、例えば作業者が厚手のグローブ等を着用しているときにも、厚手のグローブ越しにつまみ片を操作することができ、引き抜き作業が容易となる。
【００１５】
（４）前記突出壁部は、前記コネクタ保持部のうち前記コネクタの挿入方向における一部分に設けられる。
【００１６】
突出壁部が、例えばコネクタの挿入方向に延びる形状とされた場合には、コネクタに対して適切な押圧力を得るための精確な寸法管理がコネクタの挿入方向全域に亘って必要となる。これに対し、上記の構成によれば、突出壁部はコネクタ保持部のうちコネクタの挿入方向における一部分に設けられるから、この部分さえ精確な寸法管理をすればよく、したがって製造が容易となる。
【００１７】
（５）前記コネクタ保持部は、前記コネクタを受け入れるための受入口を備え、前記突出壁部は前記受入口の近傍に配されている。
【００１８】
この構成によれば、突出壁部は受入口の近傍に配されているから、例えば突出壁部がコネクタ保持部の奥に設けられる場合や、またはコネクタ保持部全体でコネクタを押圧する場合よりもコネクタ保持部自体が弾性的に拡径変形しやすく、したがってコネクタを挿入しやすくなる。
【００１９】
（６）前記絶縁プロテクタの一壁部には前記電線を外部に延出させる電線延出口が設けられ、前記コネクタ保持部は、前記一壁部において前記電線延出口から遠い端部に設けられている。
【００２０】
この構成によれば、コネクタ保持部は電線延出口と同じ一壁部に設けられ、かつ当該壁部のうち電線延出口から遠い端部に設けられているから、電線延出口から延出しコネクタ保持部に向かって曲げられる電線の曲げ半径を大きくとることができる。これにより、電線の曲げ反力が小さくなり、電線の延出端部に設けられたコネクタのコネクタ保持部に対する組付作業が容易になる。
【００２１】
（７）前記絶縁プロテクタには前記電線を外部に延出させる電線延出口が設けられ、前記コネクタ保持部は、前記電線延出口と隣接して設けられている。
【００２２】
この構成によれば、電線延出口から延出しコネクタ保持部に向かって曲げられる電線の曲げ半径を小さくすることができる。したがって、絶縁プロテクタの外部における電線の専有面積が少なくて済み、省スペース化できる。
【００２３】
（８）前記コネクタは、相手方端子が挿入される挿入孔と、前記挿入孔の内部に設けられた端子と、を備え、前記コネクタ保持部は、前記挿入孔を外方から隔離する。
【００２４】
この構成によれば、コネクタの挿入孔はコネクタ保持部に保持された状態において外方から隔離されるから、作業者や工具が誤って端子に接触することを防ぐことができる。なお、「外方から隔離する」とは、挿入孔を全面的に遮蔽する構成に限らず、例えば挿入孔と、それと対向するコネクタ保持部の奥面との間に間隙を設ける構成でもよいし、挿入孔の一部のみを覆い、その他の部分を外方に臨ませる構成でもよい。要は、挿入孔内に作業者の指や工具などが誤って挿入されない程度に、コネクタ保持部が外方と挿入孔との間に介在すればよい。
【００２５】
（９）前記コネクタ保持部へ前記コネクタを挿入する方向を挿入方向とした場合に、前記電線は、前記コネクタから前記挿入方向とは反対方向に引き出されている。
【００２６】
この構成によれば、コネクタ保持部にコネクタを挿入するために必要なスペースと、コネクタ保持部から延出した電線の専有スペースとを兼ねることができるから、コネクタ保持部にコネクタを挿入するために必要なスペースをわざわざ設ける必要がなく、その分だけ省スペース化できる。
【００２７】
（１０）前記コネクタ保持部へ前記コネクタを挿入する方向を挿入方向とした場合に、前記挿入方向は、前記絶縁プロテクタを前記蓄電素子群から離間させる方向とは交差している。
【００２８】
この構成によれば、コネクタは絶縁プロテクタを蓄電素子群から離間させる方向とは交差する方向にコネクタ保持部から引き抜かれるから、コネクタをコネクタ保持部から引き抜く際に接続導体と電極との接続状態に影響を及ぼすことがない。
【発明の効果】
【００２９】
本明細書に開示された技術によれば、コネクタが外部機器に接続されない状態において他部品と干渉するおそれのない配線モジュールを提供することができる。
【図面の簡単な説明】
【００３０】
【図１】実施形態１の配線モジュールを示す上面図
【図２】絶縁プロテクタおよびバスバーを示す上面図
【図３】絶縁プロテクタを示す背面図
【図４】配線モジュールを示す上面図
【図５】図４のＡ−Ａ断面図
【図６】配線モジュールを示す背面図
【図７】実施形態２の絶縁プロテクタおよびバスバーを示す上面図
【図８】絶縁プロテクタを示す背面図
【図９】配線モジュールを示す上面図
【図１０】図９のＢ−Ｂ断面図
【図１１】配線モジュールを示す側面図
【図１２】図１１のＣ−Ｃ断面図
【図１３】実施形態３の絶縁プロテクタおよびバスバーを示す上面図
【図１４】絶縁プロテクタを示す背面図
【図１５】配線モジュールを示す断面図
【図１６】実施形態３の変形例を示す断面図
【図１７】実施形態４の配線モジュールを示す上面図
【図１８】図１７のＤ−Ｄ断面図
【図１９】絶縁プロテクタおよびバスバーを示す上面図
【図２０】絶縁プロテクタを示す背面図
【図２１】絶縁プロテクタの断面図
【発明を実施するための形態】
【００３１】
＜実施形態１＞
本明細書に開示された技術に係る実施形態１を、図１から図６によって説明する。
【００３２】
本実施形態の配線モジュール１は、リチウムイオン電池等の複数の蓄電素子８０を並べた蓄電素子群ＢＵに装着される。蓄電素子群ＢＵは、電気自動車やハイブリッド自動車等の車両に搭載されて、走行用の電源として使用される。以下では、図示におけるＹ方向を前方、Ｘ方向を右方、Ｚ方向を上方として説明する。また、以下の説明においては、複数の同一部材については一の部材にのみ符号を付し、他の部材の符号を省略することがある。また以下の説明においては、複数の同一部材については一の部材にのみ符号を付し、他の部材の符号を省略することがある。
【００３３】
蓄電素子群ＢＵは、正負極が互い違いになるように前後方向に一列に並んだ複数の蓄電素子８０を備えている。各蓄電素子８０は、蓄電要素が収容された扁平な直方体状の本体部と、電極８１と、を備える。電極８１は、本体部から突出する角柱部８１Ａと、角柱部８１Ａから突出し周囲にねじ溝の切られた円柱部８１Ｂと、を備える。各蓄電素子８０は各電極８１を上面に並べて配され、後述のバスバー４０により電気的に接続されている。なお蓄電素子８０は、電池、キャパシタ、燃料電池のいずれであってもよい。
【００３４】
配線モジュール１は、図１に示すように、絶縁プロテクタＰと、複数のバスバー４０と、複数の検知電線６０と、複数の検知端子５０と、コネクタ７０と、コネクタ保持部３０と、により構成されている。コネクタ保持部３０は後述するとおり、絶縁プロテクタＰと一体に設けられている。
【００３５】
絶縁プロテクタＰは絶縁性の合成樹脂材から形成され、全体として上下に扁平な直方体形状をなしている。絶縁プロテクタＰは、図１に示すように、バスバー４０を収容する端子金具収容部１０と、バスバー４０から延出する検知電線６０を収容する電線収容部２０と、後端に設けられた後壁１３（一壁部の一例）を備えて、蓄電素子群ＢＵの上面に載置されている。
【００３６】
端子金具収容部１０は、図１に示すように、絶縁プロテクタＰのうち右側および左側に１列ずつ設けられ、各列毎に、バスバー４０を載置するための載置面１１と、前壁１２と、後壁１３と、左右側壁１４と、を備えている。各端子金具収容部１０Ｒ，１０Ｌは、左右に延びる複数の仕切り壁１５によって前後に並ぶ複数の区画に仕切られている。各区画の載置面１１には、図２に示すように、一対の電極挿通孔１６が前後に並んで設けられている。各電極挿通孔１６は上下に貫通し、各蓄電素子８０の電極８１の角柱部８１Ａよりも僅かに大きい長方形状をなしている。各電極挿通孔１６には、電極８１の角柱部８１Ａが挿通され、上方に突出している。各電極挿通孔１６は、各端子金具収容部１０毎に前後方向に一直線上に並んで配されている。
【００３７】
電線収容部２０は両端子金具収容部１０Ｒ，１０Ｌの間に設けられ、図１および図３に示すように、絶縁プロテクタＰの前端から後端に亘り角樋形状に形成されている。なお端子金具収容部１０のうち電線収容部２０側の側壁１４には、各区画毎に上方から切り欠いた形状の連通孔１７が形成されている。
【００３８】
各バスバー４０は、例えば銅、銅合金、アルミニウム、アルミニウム合金等の導電金属板から形成され、図２に示すように、前後に長い長方形状をなしている。各バスバー４０の前後両端近傍には、円形または前後に長い長円形の貫通孔４１が上下に貫通して設けられている。
【００３９】
各バスバー４０は端子金具収容部１０の各区画において、各貫通孔４１に各電極８１の円柱部８１Ｂが挿通され角柱部８１Ａに載置されるとともに、ナットＮを上方から円柱部８１Ｂに締結すること固定された状態で収容されている。すなわち、バスバー４０は蓄電素子８０に対して絶縁プロテクタＰを介して上方から装着されており、絶縁プロテクタＰが蓄電素子８０から上方に離間されるとバスバー４０と蓄電素子８０との接続が切断されるようになっている。各バスバー４０と、各区画の仕切り壁１５および各側壁１４との間のクリアランスは、各バスバー４０を各区画内に収容するための最小限度とされている。
【００４０】
各端子金具収容部１０にはさらに、薄い金属材から形成された検知端子５０が収容されている。検知端子５０は、図４に示すように、端子本体５１と、端子本体５１に設けられたバスバー４０の貫通孔４１と同程度の寸法の孔部５２と、端子本体５１から延出する圧着部５３を備えている。端子本体５１はバスバー４０に重ねて配され、孔部５２にはバスバー４０の貫通孔４１の一つから突出した電極８１の（円柱部８１Ｂ）が挿通され、圧着部５３は各区画の連通孔１７から電線収容部２０側に延出して配されている。
【００４１】
検知端子５０の孔部５２から突出した電極８１（円柱部８１Ｂ）にはナットＮが上方から螺合され、検知端子５０を上方から押圧している。これにより、バスバー４０および検知端子５０は、電気的な接続を切断する方向（上方）への変位が抑制された状態で、電極８１に対して電気的に接続されている。
【００４２】
各検知電線６０は導体部の周囲を絶縁被覆（絶縁層）で覆った絶縁電線であり、一端６１において絶縁被覆が剥ぎ取られて、検知端子５０の圧着部５３に加締め圧着されている。検知端子５０の圧着部５３から延出した検知電線６０は、図１に示すように、電線収容部２０内において後方に曲げられ、電線収容部２０の後壁１３の左右方向における中央に形成された電線延出口２１から外方に延出している。なお、図示においては絶縁プロテクタＰから延出した検知電線６０は絶縁被覆が露出した状態を模式的に示しているが、絶縁プロテクタＰから延出した検知電線６０を一つの束に束ね、保護部材で覆ってもよい。
【００４３】
コネクタ７０は、図１および図６に示すように、検知電線６０の延出端部６２（絶縁プロテクタＰの電線延出口２１から外方に延出した側の端部）に設けられている。コネクタ７０は、図５に示すように、扁平な直方体形状のハウジング７１と、雌端子７２と、弾性片７３と、を備えている。ハウジング７１には、前方に開口する挿入孔７４が設けられ、前方が保持凹部３１への挿入方向となっている。また、ハウジング７１の後方からは、検知電線６０が引き出されている。雌端子７２は挿入孔７４内に配されて、ハウジング７１内において検知電線６０（延出端部６２）と接続されている。弾性片７３は前端を基端７３Ａ、斜め上方に突出する後端を自由端７３Ｂとする片持ちばね形状をなして、ハウジング７１の上面側に設けられている。基端７３Ａはハウジング７１の上面よりも下に配され、自由端７３Ｂはハウジング７１の上面よりも上方に突出し、下方（コネクタ保持部３０への挿入方向に対して交差する方向）に撓み可能となっている。
【００４４】
なお、コネクタ７０は図示しない外部のＥＣＵ（Ｅｌｅｃｔｒｏｎｉｃ  Ｃｏｎｔｒｏｌ  Ｕｎｉｔ）に接続されるためのものである。ＥＣＵは、マイクロコンピュータ、電子部品等が搭載されたものであって、各蓄電素子８０の電圧・電流・温度等の検知、各蓄電素子８０の充放電コントロール等を行うための機能を備えた周知の構成のものである。コネクタ７０は、弾性片７３が図示しない相手方コネクタに設けられたロック部に係止することで相手方コネクタと嵌合状態にロックされるとともに、図示しない相手方端子が挿入孔７４内に挿入されて相手方コネクタと接続されるようになっている。
【００４５】
さて、前述のとおり、絶縁プロテクタＰには、相手方コネクタに接続されない状態のコネクタ７０を保持するためのコネクタ保持部３０が設けられている。コネクタ保持部３０は、図１から図５に示すように、上下に扁平な直方体形状をなして絶縁プロテクタＰと一体に形成され、左側の端子金具収容部１０Ｌの後壁１３Ａ（絶縁プロテクタＰの後壁１３において、電線延出口２１から遠い端部１３Ａ）から後方に突出している。
【００４６】
コネクタ保持部３０は、後方（絶縁プロテクタＰから側方に離間する方向）に開口する保持凹部３１を備えるとともに、上方開口３２と、第１作業口３３と、第２作業口３４と、を備えている。
【００４７】
保持凹部３１は、左右方向における中心線が端子金具収容部１０Ｌ内に挿通された各蓄電素子８０の円柱部８１Ｂの軸心を結ぶ直線と同一線上に位置するように配されている。保持凹部３１の高さ寸法は、コネクタ７０のハウジング７１の高さ寸法と同程度である。保持凹部３１の深さ寸法（前後方向における長さ寸法）は、コネクタ７０の前後寸法よりも小寸となっている。なお、保持凹部３１の開口は、コネクタ７０を受け入れるための受入口３１Ｅとなっている。すなわち、絶縁プロテクタＰが蓄電素子８０から上方に離間されるとバスバー４０と蓄電素子８０との接続が切断されるようになっているところ、コネクタ保持部３０においては、絶縁プロテクタＰを蓄電素子群ＢＵから離間させる方向とは直交する方向がコネクタ７０の挿入方向とされている。
【００４８】
上方開口３２（保持孔の一例）は、コネクタ保持部３０の保持上面３１Ｕにおいて前後方向における中央を長方形状に開口して形成され、保持凹部３１の内部空間の中央部分を全幅に亘って上方に連通させている。上方開口３２の開口後縁は、垂直面３２Ａと、垂直面３２Ａと連続して設けられ、保持凹部３１の内部空間側を斜めに切り落とした形状の前方から後方に向かって下がり勾配となる内部テーパ面３２Ｂと、を備えている。側面視における垂直面３２Ａの下端（内部テーパ面３２Ｂの上端）から支持板部３５の上面までの高さ寸法は、弾性片７３も含めたコネクタ７０全体の高さ寸法よりも大寸となっている。
【００４９】
第１作業口３３は、コネクタ保持部３０のうち前側（端子金具収容部１０Ｌに近い側）を下方に開口して形成され、保持凹部３１の内部空間を下方に連通させている。第２作業口３４は、コネクタ保持部３０のうち後端（端子金具収容部１０Ｌから遠い側）を下方に開口して形成され、保持凹部３１の内部空間を下方に連通させている。言い換えれば、保持凹部３１は、両保持側面３１Ｓを前後方向における中央において連結する支持板部３５を残して、下方に開放された形状となっている。
【００５０】
コネクタ７０は、支持板部３５により支持され、保持凹部３１の保持上面３１Ｕ、両保持側面３１Ｓ、および保持奥面３１Ａ（すなわち端子金具収容部１０の後壁１３Ａの外面）により上方、側方、および前方への変位が規制されるとともに、弾性片７３の自由端７３Ｂが上方開口３２の内部テーパ面３２Ｂに当接または対向することで後方への変位が規制された状態で、保持凹部３１内に保持されている。
【００５１】
この状態において、挿入孔７４の開口端部には保持凹部３１の保持奥面３１Ａが当接または対向し、挿入孔７４を外方から隔離している。また、この状態において、絶縁プロテクタＰから延出した検知電線６０は、図１及び図６に示すように、水平視において絶縁プロテクタＰの厚み範囲内に配され、上面視において全体として１８０度屈曲した状態で保持されている。
【００５２】
なお、「外方から隔離する」とは、挿入孔を全面的に遮蔽する構成に限らず、例えば挿入孔と保持奥面との間に間隙を設ける構成でもよいし、挿入孔の一部のみを覆い、その他の部分を外方に臨ませる構成でもよい。要は、挿入孔内に作業者の指や工具などが誤って挿入されない程度に、保持凹部３１が外方と挿入孔との間に介在すればよい。
【００５３】
コネクタ保持部３０にコネクタ７０を保持させるには、コネクタ７０の挿入孔７４の開口をコネクタ保持部３０の保持凹部３１の受入口３１Ｅと対向させ、コネクタ７０の上面および両側面を各々保持凹部３１の保持上面３１Ｕおよび左右の保持側面３１Ｓに沿わせつつ、保持凹部３１の保持奥面３１Ａ（前方）に向かって進入させる。すると、コネクタ７０の弾性片７３は保持凹部３１の保持上面３１Ｕが相対的に摺動することにより弾性的に下方へ押し込まれた状態で保持凹部３１内を進入した後、その自由端７３Ｂが上方開口３２の内部テーパ面３２Ｂに沿って上方に弾性復帰し、やがて完全に弾性復帰して内部テーパ面３２Ｂと当接または対向し、弾性片７３が上方開口３２の上端より下方に配置された状態となる。これとともに、コネクタ７０の挿入孔７４の開口端部が保持凹部３１の保持奥面３１Ａに後方から突き当たって外方から隔離された状態となる。これにより、コネクタ７０は保持凹部３１内に保持された状態となる。
【００５４】
コネクタ７０をコネクタ保持部３０から取り外すには、コネクタ保持部３０の上方開口３２から工具などを差し込み、弾性片７３を下方へ押し込みつつ、保持凹部３１から露出しているコネクタ７０の後端を掴んで後方へ引く。この際、さらに第１作業口３３から保持凹部３１の保持奥面３１Ａとコネクタ７０との間に工具を差し込み、抉る等してコネクタ７０を後方へ変位させてもよい。すると、弾性片７３が上方開口３２の垂直面３２Ａよりも後方に変位したところで、保持凹部３１の内部テーパ面３２Ｂおよびそれに続く保持上面３１Ｕが弾性片７３に対して相対的に摺動し、弾性片７３を下方へ撓ませる。そして、コネクタ７０をさらにそのまま後方へ変位させると、コネクタ７０は保持凹部３１の受入口３１Ｅより引き抜かれ、コネクタ保持部３０から離脱した状態となる。
【００５５】
上記の構成によれば、コネクタ７０をコネクタ保持部３０において着脱可能に保持できるから、コネクタ７０が検知電線６０の延出端部にぶら下がって他部材と干渉することを防ぐことができる。
【００５６】
また、コネクタ７０の弾性片７３が保持孔３２に係止することで保持部凹部３１内に保持されるとともに、コネクタ７０が保持凹部３１から離脱される際には内部テーパ面３２Ｂに摺動しながら次第に撓む。したがって、コネクタ７０を引くだけでコネクタ７０を保持凹部３１から取り外すことができ、取り外し作業が容易である。
【００５７】
また、コネクタ保持部３０は電線延出口２１と同じ一壁部１３に設けられ、かつ当該壁部１３のうち電線延出口２１から遠い端部１３Ａに設けられているから、電線延出口２１から延出しコネクタ保持部３０に向かって曲げられる電線６０の曲げ半径を大きくとることができる。これにより、電線６０の曲げ反力が小さくなり、電線６０の延出端部に設けられたコネクタ７０のコネクタ保持部３０に対する組付作業が容易になる。
【００５８】
また、コネクタ７０の挿入孔７４はコネクタ保持凹部３１内に保持された状態において外方から隔離されるから、作業者や工具が誤って雌端子に接触することを防ぐことができる。なお、「外方から隔離する」とは、挿入孔を全面的に遮蔽する構成に限らず、例えば挿入孔と保持奥面との間に間隙を設ける構成でもよいし、挿入孔の一部のみを覆い、その他の部分を外方に臨ませる構成でもよい。要は、挿入孔内に作業者の指や工具などが誤って挿入されない程度に、保持凹部が外方と挿入孔との間に介在すればよい。
【００５９】
また、保持凹部３１にコネクタ７０を挿入するために必要なスペースと、コネクタ保持部３０から延出した電線６０の専有スペースとを兼ねることができるから、保持凹部３１にコネクタ７０を挿入するために必要なスペースをわざわざ設ける必要がなく、その分だけ省スペース化できる。
【００６０】
また、コネクタ７０は絶縁プロテクタＰを蓄電素子群から離間させる方向とは交差する方向にコネクタ保持部３０から引き抜かれるから、コネクタ７０をコネクタ保持部３０から引き抜く際に接続導体５０と電極８１との接続状態に影響を及ぼすことがない。この構成は特に、例えばバスバー４０および検知端子５０と電極８１の角柱部８１Ａとの接続手段が剥がし力に対して比較的弱い場合（例えば、半田付けや超音波溶接により接続した場合）に有効である。
また、コネクタ７０を相手方コネクタのロック部と係止するための弾性片７３を利用してコネクタ保持部３０内に係止させているから、別途係止機構を設けなくてもよい構成となっている。
【００６１】
＜実施形態２＞
次に、本明細書に開示された技術に係る実施形態２を図７から図１２によって説明する。本実施形態の配線モジュール１００においては、図７および図８に示すように、絶縁プロテクタＰ１のコネクタ保持部１３０に一対のリブ１３６と一対の突出壁部１３７とを備えている。なお、本実施形態においては、上方開口１３２の後縁は内部テーパ面を備えていない。
【００６２】
各リブ１３６は、コネクタ保持部１３０の保持凹部１３１の保持上面１３１Ｕから下方（突出壁部１３７の突出方向とは交差する方向）に突出している。各リブ１３６は、保持上面１３１Ｕにおいて、左右方向における中心線を挟んで対称となる位置に設けられ、保持凹部１３１の前端から後端に亘って延びている。
【００６３】
各突出壁部１３７は、保持凹部１３１の両保持側面１３１Ｓのうち前後方向における中央部分から互いに向かって（すなわちコネクタ１７０の挿入方向と交差する方向に）突出し、前後方向よりも上下方向の寸法のほうが長い形状をなしている。言い換えれば、各突出壁部１３７は、支持板部１３５の左右両端を両保持側面１３１Ｓに沿って上方に立ち上げた形状をなしている。
【００６４】
図１０および図１１に示すように、保持凹部１３１の高さ寸法Ｈ１は、コネクタ１７０の弾性片１７３を含む全体の高さ寸法Ｈ２よりも大きく、かつ、側面視において各リブ１３６の下端から支持板部１３５の上面までの高さ寸法Ｈ３は、ハウジング１７１の高さ寸法よりも僅かに小さい。また、図９および図１２に示すように、保持凹部１３１の左右方向における寸法Ｗ１はコネクタ１７０（ハウジング１７１）の左右方向における寸法よりも大きく、かつ、両突出壁部１３７の間隙寸法Ｗ２はハウジング１７１の幅寸法よりも僅かに小さい。
【００６５】
これにより、コネクタ１７０は、上下においては各リブ１３６と支持板部１３５により上下から押圧されてこれらの間に挟持されるとともに、左右においては各突出壁部１３７の突出端部により左右から押圧されてこれらの間に挟持されることで、不用意には脱落しない程度にコネクタ保持部１３０内に緊密に嵌った状態で保持されている。このとき、コネクタ１７０の弾性片１７３は、自由端１７３Ｂが上方開口１３２の下方に配され、弾性変形しない状態でリブ１３６の間に収容されている。その他の構成は実施形態１と同様であるため説明を省略する。
【００６６】
この構成によれば、コネクタ１７０のハウジング１７１は突出壁部１３７とリブ１３６によってそれぞれ異なる方向から押圧されるから、コネクタ保持部１３０から抜けにくくなる。また、弾性片１７３はコネクタの挿入方向に延びるリブ１３６の間に収容され、撓むことなく保持凹部１３１から引き抜かれるから、弾性片の弾発力を低下させる懸念がない。
【００６７】
また、突出壁部が、例えば上下方向よりも前後方向に長い形状とされた場合には、コネクタがコネクタ保持部１３０を僅かに拡径させて嵌まり込みつつ突出壁部がコネクタの側壁に面当たりするような精確な寸法管理を、突出壁部の長さ全体に亘って行わなければならない。これに対し、上記の構成によれば、突出壁部１３７はコネクタ保持部１３０のうちコネクタ１７０の挿入方向における一部分に上下に延びて設けられるから、この部分さえ精確な寸法管理を行い、その他の部分はコネクタ１７０が確実に収容できる大きさにすればよいから、製造が容易となる。
【００６８】
＜実施形態３＞
次に、本明細書に開示された技術に係る実施形態３を図１３から図１５によって説明する。
【００６９】
本実施形態の配線モジュール２００においては、絶縁プロテクタＰ２のコネクタ保持部２３０は、突出凹部２３６と、脱落防止タブ２３７（脱落防止部の一例）と、つまみ片２３８と、を備えている。
【００７０】
突出凹部２３６（逃がし凹部の一例）は、上方開口２３２よりも後方の保持上面２３１Ｕのうち左右方向における中心部分を上方に一段上げた形状に形成されている。突出凹部２３６の左右寸法（左右の突出保持側面２３６Ｓの間隙寸法）は、コネクタ２７０の弾性片２７３の左右寸法よりも大きい。また、側面視における突出凹部２３６の突出上壁２３６Ｕの下面から支持板部２３５の上面までの高さ寸法Ｈ４は、コネクタ２７０の弾性片２７３を含む全体の高さ寸法Ｈ５よりも大きい。
【００７１】
脱落防止タブ２３７は、図１４に示すように、突出凹部２３６の突出上壁２３６Ｕのうち左右方向における中央部分を後方に延出させた水平延出部２３７Ａと、さらにその後端を下方に延出させた垂直延出部２３７Ｂと、を備えて形成されている。脱落防止タブ２３７の前面（保持凹部２３１側の面）には、後方に向かって下がり勾配をなす形状の外部テーパ面２３７Ｃが設けられている。なお、突出上壁２３６Ｕには、水平延出部２３７Ａの基端の両側から前方に向かって切り込んだ形状のスリット２３９が設けられている。
【００７２】
つまみ片２３８は、脱落防止タブ２３７の水平延出部２３７Ａをさらに後方に延出させた形状に設けられている。つまみ片２３８と水平延出部２３７Ａとの間には段差が設けられ、つまみ片２３８のほうが一段高くなっている。
【００７３】
図１５に示すように、側面視において保持上面２３１Ｕの下面から支持板部２３５の上面までの高さ寸法Ｈ６は、ハウジング２７１の高さ寸法と同程度となっている。突出上壁２３６Ｕの下面から支持板部２３５までの高さ寸法Ｈ４は、コネクタ７０の弾性片７３を含むコネクタ７０全体の高さ寸法Ｈ５よりも大きい。また、脱落防止タブ２３７の下端における高さレベルＬ１は、ハウジング２７１の上面の高さレベルＬ２よりも低い。
【００７４】
コネクタ２７０をコネクタ保持部２３０に保持させる際には、つまみ片２３８をつまんで上方に弾性的に変位させることで脱落防止タブ２３７の下端を高さレベルＬ２よりも上方に引き上げてから、コネクタ２７０を後方から保持凹部２３１内に進入させる。すると、弾性片２７３は弾性変形することなく突出凹部２３６内を通って、上方開口２３２の下方に配される。そして、つまみ片２３８を放すと、脱落防止タブ２３７が弾性復帰してハウジング２７１の後端部に後方から対向した位置に配置され、すなわち、コネクタ２７０の後端部に後方から係止する。コネクタ２７０が後方への変位を規制された状態で保持凹部２３１内に保持された状態となる。
【００７５】
コネクタ２７０をコネクタ保持部２３０から取り外す際には、つまみ片２３８をつまんで弾性的に上方へ変位させて脱落防止タブ２３７の下端を高さレベルＬ２よりも上方に引き上げ、これによりコネクタ２７０への係止を解除してから、コネクタ２７０を保持凹部２３１から後方へ引き抜く。または、つまみ片２３８をつまみ上げることなく、コネクタ２７０を保持凹部２３１から後方に強く引き抜いてもよい。この場合、コネクタ２７０はその後端において脱落防止タブ２３７の外部テーパ面２３７Ｃに前方から当接し、脱落防止タブ２３７の下端を高さレベルＬ２よりも上方に弾性的に押し上げてコネクタ２７０への係止を解除しつつ引き抜かれる。その他の構成は実施形態１と同様であるため、説明を省略する。
【００７６】
上記の構成によれば、コネクタ２７０の弾性片２７３を弾性変形させずに逃がし凹部２３６から引き抜くことができるから、弾性片２７３の弾発力を低下させる懸念がない。また、コネクタ２７０の後端部には脱落防止部２３７が後方から係止するから、コネクタ２７０がコネクタ保持部２３０から脱落することを防ぐことができる。また、コネクタ２７０をコネクタ保持部２３０から引き抜く際にはつまみ片２３８を操作することで保持凹部２３１から引き抜き可能な状態とすることができるから、例えば作業者が厚手のグローブ等を着用しているときにも、厚手のグローブ越しにつまみ片２３８を操作することができ、引き抜き作業が容易である。
【００７７】
＜変形例＞
次に、実施形態３の変形例を図１６によって説明する。実施形態３の脱落防止タブ２３７には後方に向かって下がり勾配をなす形状の外部テーパ面２３７Ｃが設けられているのに対し、本変形例の脱落防止タブ２２３７には外部テーパ面がなく、垂直延出部２２３７Ｂの前面が垂直面２２３７Ｃとなっている。この垂直面２２３７Ｃは、コネクタ２２７０が保持凹部２２３１内に収容されている状態において、コネクタ２２７０の背面に対向して配されている。その他の構成は実施形態３と同様であるため、説明を省略する。
【００７８】
この構成によれば、コネクタ２２７０を保持凹部２２３１から取り外すには、コネクタ２７０を後方に引く前に、まずつまみ片２２３８をつまんで上方に弾性的に変位させなければならない。これにより、コネクタ２２７０が不用意に保持凹部２３１から脱落することを防止することができる。すなわちこの構成は、コネクタをコネクタ保持部によって確実に保持したい場合に好適である。
【００７９】
＜実施形態４＞
次に、本明細書に開示された技術に係る実施形態４を図１７から図２１によって説明する。
【００８０】
実施形態２の配線モジュール１００においては、絶縁プロテクタＰ１のコネクタ保持部１３０は、コネクタの挿入方向に直交する方向に延びる一対の突出壁部１３７と、コネクタ１７０の挿入方向に延びる一対のリブ１３６と、を備えるのに対して、本実施形態の配線モジュール３００は絶縁プロテクタＰ３を備え、絶縁プロテクタＰ３のコネクタ保持部３３０は、図１７および図１８に示すように、コネクタ１７０の挿入方向に直交する方向に延びる一対の突出壁部３３７と、コネクタ１７０の挿入方向に延びる逃がし凹部３３８と、を備えている。そして、コネクタ３７０のハウジング３７１は突出壁部３３７によって押圧されて保持されるとともに、コネクタ３７０の弾性片３７３は逃がし凹部３３８によって上方に逃がされる構成となっている。
【００８１】
詳しくは、コネクタ保持部３３０の保持凹部３３１は、図１８および図１９に示すように、支持板部３３５の上面（保持下面の一例）と、支持板部３３５の平面の側縁から対向状態で立ち上がる一対の保持側面３３１Ｓと、前記保持下面と対向して配された保持上面３３１Ｕと、コネクタ３７０を受け入れるための受入口３３１Ｅと、を備えている。
【００８２】
逃がし凹部３３８は、図１７および図１９に示すように、保持凹部３３１のうち略左半分とコネクタ３７０の弾性片３７３の進入経路とを上方に開口するように、保持上面３３１Ｕを後端から前端に亘って凹ませた形状に形成されている。また、支持板部３３５には、保持凹部３３１の略右半分を下方に開口するように、後端から前端に亘って凹ませた形状の型抜き開口３９０が形成されている。これにより、支持板部３３５の上面は逃がし凹部３３８を通って上方に臨んでいるとともに、保持上面３３１Ｕは型抜き開口を通って下方に臨んでいる。
【００８３】
突出壁部３３７は、保持側面３３１Ｓの後端近傍（すなわち受入口３３１Ｅの近傍）から保持凹部３３１内に向かって突出し、前後方向よりも上下方向の寸法のほうが長い形状をなしている。
【００８４】
コネクタ３７０をコネクタ保持部３３０に挿入する際には、コネクタ３７０を突出壁部３３７の間に後方から圧入する。すると、図１８に示すように、ハウジング３７１は、弾性片３７３が逃がし凹部３３８により上方に逃がされて、全体がコネクタ保持部３３０の上面よりも下方に配され、かつ保持凹部３３１に当接しない状態で挿通され、そして、図２１に示すように，雌端子３７２の設けられた挿通孔３７４が保持奥面３３１Ａと対向して外方から隔離され、ハウジング３７１が突出壁部３３７によって両側方から押圧されて変位規制されるとともに、弾性片３７３が逃がし凹部３３８により保持凹部３３１内から上方に逃がされた保持状態となる。
【００８５】
この構成によれば、コネクタ保持部３３０には突出壁部３３７が設けられ、これによりコネクタは押圧された状態で保持凹部３３１内に保持されるから、保持凹部３３１から脱落しにくい。また、コネクタ保持部３３０には逃がし凹部３３８が設けられ、コネクタ３７０の弾性片３７３はコネクタ保持部３３０に対して非当接状態で保持凹部３３１に挿入されるから、弾性片３７３の弾発力を低下させる懸念がない。
【００８６】
また、本実施形態の構成によれば、逃がし凹部３３８を、上下に延びる突出壁部３３７が上面側に設けられた支持板部３３５を型抜き加工により形成するための抜き孔として機能させるとともに、コネクタ３７０の弾性片３７３を保持凹部３３１に挿通させ保持する際の逃がし孔としても機能させることができる。
【００８７】
また、コネクタを挿入する際には、突出壁部がコネクタ保持部の拡径変形の力点となり、コネクタ保持部３３０の根元部分が拡径変形の支点となるが、例えば突出壁部がコネクタ保持部の奥方に設けられる場合には、この力点と支点が近接するため、コネクタの挿入に大きな力が必要となる。これに対し、本実施形態においては突出壁部３３７が受入口３３１の近傍に配され、すなわち力点が支点から離間して配されている。したがって、コネクタ３７０の挿入力を抑えることができる。  
【００８８】
なお本実施形態においては、逃がし凹部３３８は保持上面３３１Ｕのみを開口して設けられているが、保持上面３３１Ｕを開口して設けられた第一逃がし開口部と、支持板部３３５を開口して設けられた第二逃がし開口部と、を備え、すなわち上面視と下面視において同じ形状となるように構成されてもよい。このように構成することで、コネクタ３７０の天地を逆にしても保持凹部３３１内に保持することができるから、コネクタ３７０を保持凹部３３１内に挿入する際にコネクタ３７０の上下の向きを確認する作業の手間が省ける。
【００８９】
＜他の実施形態＞
本明細書に開示された技術は上記記述及び図面によって説明した実施形態に限定されるものではなく、例えば次のような形態で実施することが可能である。
【００９０】
（１）上記実施形態においては、検知電線６０の一端６１側には検知端子５０の圧着部５３が接続され、この検知端子５０がバスバー４０と重ねて配される構成としているが、バスバーに圧着部を設け、この圧着部に検知電線６０を直接接続する構成としてもよい。また、検知電線がバスバーに、溶接、半田付け、またはロウ付けされていてもよい。
【００９１】
（２）上記実施形態においては、コネクタ７０がコネクタ保持部３０に保持されている状態においては挿入孔７４の開口端部全体が保持凹部３１の保持奥面３１Ａにより閉鎖することで外方から隔離されているが、挿入孔の開口端部全体を閉鎖する必要はなく、例えば保持奥面に空気抜き孔を設けてもよい。
【００９２】
（３）上記実施形態においては、コネクタ保持部３０は端子金具収容部１０の後壁１３から突設されているが、コネクタ保持部は絶縁プロテクタの側面または下面に突設されてもよい。
【００９３】
（４）上記実施形態においては、保持凹部は、保持下面と、保持下面の両側縁から対向状態で立ち上がる一対の保持側面と、保持下面と対向して配された保持上面とを備えて構成されているが、保持凹部はこれらのすべてを備える必要はなく、例えばこれらのうちいずれかを備えない構成としてもよいし、またはこれらをすべて備えず、例えばコネクタを保持可能な枠形状としてもよい。要は、コネクタを着脱可能に保持できればよい。
【００９４】
（５）上記実施形態においては、電線として検知端子５０とコネクタ７０とを接続する検知電線６０を例示しているが、電線はこれに限らない。例えば、サーミスタとコネクタとを接続するサーミスタ用の電線でもよいし、各蓄電素子からの電力を外部に出力するための電源線でもよい。
【００９５】
（６）上記実施形態においては、コネクタ保持部３０を絶縁プロテクタＰの一壁部１３において電線延出口から遠い端部１３Ａに設けた構成としているが、コネクタ保持部を設ける位置はこれに限らず、例えば電線延出口と隣接して設けてもよい。この構成によれば、コネクタ保持部は電線延出口と隣接して設けられているから、電線延出口から延出しコネクタ保持部に向かって曲げられる電線の曲げ半径を小さくすることができる。したがって、絶縁プロテクタの外部における電線の専有面積が少なくて済み、省スペース化できる。または、絶縁プロテクタの一壁部において、電線延出口と、電線延出口から遠い端部との中間領域に設けてもよい。要は、所望されるコネクタのコネクタ保持部への挿入しやすさと専有可能面積とを勘案して適切な位置を選択すればよい。
【００９６】
（７）上記実施形態においては、挿入孔を外方から隔離するための閉鎖面を絶縁プロテクタの背面に設け、コネクタの挿入方向をＹ方向としているが、閉鎖面の位置はこれに限らず、例えばコネクタ保持部の側面（Ｙ方向に対して直交する面）に設けてもよいし、または設けなくてもよい。また、コネクタの挿入方向はＸ方向またはＺ方向でもよい。
【００９７】
上記実施形態においては、コネクタ保持部内にコネクタの挿入方向に交差する方向に延びる突出壁部を設けてコネクタを押圧する構成としているが、これに代えて、例えばコネクタの挿入方向に延びる突出壁部を設けてもよく、または突出壁部を設けずコネクタ保持部の保持側面全体を押圧壁部とし、押圧壁部の全体または一部においてコネクタを押圧する構成としてもよい。
【符号の説明】
【００９８】
１：配線モジュール
ＢＵ：蓄電素子群
６０：電線
８０：蓄電素子
Ｐ：絶縁プロテクタ
１０：端子金具収容部
２０：電線収容部
２１：電線延出口
３０：コネクタ保持部
３１：保持凹部（コネクタ保持部）
３１Ｅ：受入口
４０：バスバー
５０：検知端子
６０：検知電線
７０：コネクタ
７２：雌端子
７３：弾性片
７４：挿入孔
１３６：リブ
１３７，３３７：突出壁部
２３６：突出凹部（逃がし凹部）
２３７：脱落防止タブ
２３８：つまみ片
３３１Ｓ：保持側面
３３１Ｕ：保持上面
３３１Ｅ：受入口
３３５：支持板部（保持下面）
３３６：逃がし凹部
【図１】
2019036471.tif 000003
【図２】
2019036471.tif 000004
【図３】
2019036471.tif 000005
【図４】
2019036471.tif 000006
【図５】
2019036471.tif 000007
【図６】
2019036471.tif 000008
【図７】
2019036471.tif 000009
【図８】
2019036471.tif 000010
【図９】
2019036471.tif 000011
【図１０】
2019036471.tif 000012
【図１１】
2019036471.tif 000013
【図１２】
2019036471.tif 000014
【図１３】
2019036471.tif 000015
【図１４】
2019036471.tif 000016
【図１５】
2019036471.tif 000017
【図１６】
2019036471.tif 000018
【図１７】
2019036471.tif 000019
【図１８】
2019036471.tif 000020
【図１９】
2019036471.tif 000021
【図２０】
2019036471.tif 000022
【図２１】
2019036471.tif 000023